(57)【要約】【課題】複数の貨幣処理装置の間で貨幣の授受を行う際に、貨幣処理システムの使い勝手を向上させる。【解決手段】貨幣処理システム１は、第１貨幣処理装置（出納機２）と、複数の第２貨幣処理装置（両替機３）と、第１貨幣処理装置が出金した貨幣を、複数の第２貨幣処理装置に装填する処理を管理する管理部と、を備える。第１貨幣処理装置は、複数の第２貨幣処理装置に装填する貨幣を一括して出金すると共に、出金した貨幣の情報を管理部に送り、複数の第２貨幣処理装置はそれぞれ、装填された貨幣の情報を管理部に送る。管理部は、第１貨幣処理装置が一括して出金した貨幣の情報と、複数の第２貨幣処理装置のそれぞれに装填された貨幣の情報とを比較する。【選択図】図６
2019200662.tif 000002
【特許請求の範囲】
【請求項１】
貨幣の出金を行う第１貨幣処理装置と、
貨幣を収納する、複数の第２貨幣処理装置と、
前記第１貨幣処理装置が出金した貨幣を、前記複数の第２貨幣処理装置に装填する処理を管理する管理部と、を備え、
前記第１貨幣処理装置は、前記複数の第２貨幣処理装置のそれぞれに装填する貨幣を一括して出金すると共に、出金した貨幣の情報を前記管理部に送り、
前記複数の第２貨幣処理装置はそれぞれ、装填された貨幣の情報を前記管理部に送り、
前記管理部は、前記第１貨幣処理装置が一括して出金した貨幣の情報と、前記複数の第２貨幣処理装置のそれぞれに装填された貨幣の情報とを比較する貨幣処理システム。
【請求項２】
前記管理部は、前記複数の第２貨幣処理装置に装填された貨幣の合計と、前記第１貨幣処理装置が出金した貨幣とが等しくなると、前記複数の第２貨幣処理装置への装填処理を終了する請求項１に記載の貨幣処理システム。
【請求項３】
前記管理部は、前記第１貨幣処理装置が出金した後、所定時間が経過しても、前記複数の第２貨幣処理装置への装填処理が終了しないときに、外部に報知する請求項２に記載の貨幣処理システム。
【請求項４】
前記複数の第２貨幣処理装置は、前記貨幣の装填を順番に行い、
前記管理部は、前記第２貨幣処理装置から貨幣の情報を受ける度に、前記第１貨幣処理装置が出金した貨幣の情報から、装填された貨幣分を減算することによって、未装填貨幣の情報を更新し、
前記管理部はまた、次の第２貨幣処理装置が装填を行う際に、前記未装填貨幣の情報を、前記次の第２貨幣処理装置に送る請求項１〜３のいずれか１項に記載の貨幣処理システム。
【請求項５】
前記第２貨幣処理装置は、貨幣の装填を行うときに、装填した貨幣が、前記未装填貨幣を超えるか否かを判断する請求項４に記載の貨幣処理システム。
【請求項６】
前記第１貨幣処理装置は、装填用の貨幣を一括して出金するときに、操作者に、前記複数の第２貨幣処理装置それぞれに装填する予定の貨幣量を指定させ、
前記第１貨幣処理装置はまた、前記装填する予定の貨幣量の合計に基づいて、装填用の貨幣を一括して出金する請求項１〜５のいずれか１項に記載の貨幣処理システム。
【請求項７】
前記第２貨幣処理装置は、装填する予定の貨幣量の情報を取得すると共に、前記装填する予定の貨幣量に従って貨幣の装填を行う請求項６に記載の貨幣処理システム。
【請求項８】
貨幣の入金を行う第１貨幣処理装置と、
貨幣を収納する、複数の第２貨幣処理装置と、
前記複数の第２貨幣処理装置それぞれから回収された貨幣を、前記第１貨幣処理装置に入金する処理を管理する管理部と、を備え、
前記複数の第２貨幣処理装置はそれぞれ、回収された貨幣の情報を前記管理部に送り、
前記第１貨幣処理装置は、前記複数の第２貨幣処理装置のそれぞれから回収された貨幣を一括して入金すると共に、入金した貨幣の情報を前記管理部に送り、
前記管理部は、前記第１貨幣処理装置が一括して入金した貨幣の情報と、前記複数の第２貨幣処理装置のそれぞれから回収された貨幣の情報とを比較する貨幣処理システム。
【請求項９】
前記管理部は、前記複数の第２貨幣処理装置から回収された貨幣の合計と、前記第１貨幣処理装置に入金した貨幣とが等しくなると、前記複数の第２貨幣処理装置の回収処理を終了する請求項８に記載の貨幣処理システム。
【請求項１０】
前記管理部は、前記複数の第２貨幣処理装置から貨幣を回収した後、所定時間が経過しても、前記複数の第２貨幣処理装置の回収処理が終了しないときに、外部に報知する請求項９に記載の貨幣処理システム。
【発明の詳細な説明】
【技術分野】
【０００１】
ここに開示する技術は、貨幣処理システムに関する。
【背景技術】
【０００２】
特許文献１には、金融機関に構築された現金処理システムが記載されている。この現金処理システムは、ネットワークによって互いに接続された現金処理装置と自動取引装置とを備えている。現金処理装置は、自動取引装置に補充するための現金を出金する。また、現金処理装置は、自動取引装置から回収した現金を入金する。
【０００３】
この現金処理システムでは、自動取引装置に現金を補充したときに、自動取引装置が、補充した現金の計数結果を現金処理装置に送信し、現金処理装置は、出金した現金と、受信した計数結果とを比較する。また、自動取引装置から現金を回収したときに、自動取引装置が、回収された現金の計数結果を現金処理装置に送信し、現金処理装置は、入金した現金と、受信した計数結果とを比較する。
【０００４】
比較した結果が一致すると、現金処理システムは、処理を終了する。比較した結果が不一致であると、現金処理システムは、警報を行う。この現金処理システムは、現金処理装置と自動取引装置との間で授受した現金を管理することができる。
【先行技術文献】
【特許文献】
【０００５】
【特許文献１】特開２００４−２２００８８号公報
【発明の概要】
【発明が解決しようとする課題】
【０００６】
ところで、金融機関には、複数台の自動取引装置が設置されることが多い。現金処理装置は、複数の自動取引装置のそれぞれに補充する現金を出金する。しかしながら、特許文献１に記載されている現金処理システムにおいて、現金処理装置は、一回の出金処理によって、一台の自動取引装置に補充する現金しか出金することができない。複数の自動取引装置のそれぞれに補充する現金を出金しようとすると、操作者は、現金処理装置の出金処理を、何回も繰り返さなければならない。
【０００７】
同様に、現金処理装置は、一回の入金処理によって、一台の自動取引装置から回収した現金しか入金することができない。複数の自動取引装置から回収した現金を、現金処理装置に入金しようとすると、操作者は、現金処理装置の入金処理を、何回も繰り返さなければならない。
【０００８】
特許文献１に記載されている現金処理システムは、操作が面倒であり、使い勝手が悪い。
【０００９】
ここに開示する技術は、複数の貨幣処理装置の間で貨幣の授受を行う際に、貨幣処理システムの使い勝手を向上させる。
【課題を解決するための手段】
【００１０】
ここに開示する技術は、貨幣処理システムに係る。この貨幣処理システムは、貨幣の出金を行う第１貨幣処理装置と、貨幣を収納する、複数の第２貨幣処理装置と、前記第１貨幣処理装置が出金した貨幣を、前記複数の第２貨幣処理装置に装填する処理を管理する管理部と、を備える。
【００１１】
そして、前記第１貨幣処理装置は、前記複数の第２貨幣処理装置のそれぞれに装填する貨幣を一括して出金すると共に、出金した貨幣の情報を前記管理部に送り、前記複数の第２貨幣処理装置はそれぞれ、装填された貨幣の情報を前記管理部に送り、前記管理部は、前記第１貨幣処理装置が一括して出金した貨幣の情報と、前記複数の第２貨幣処理装置のそれぞれに装填された貨幣の情報とを比較する。
【００１２】
この構成によると、操作者は、第１貨幣処理装置の出金操作を一回行うと、複数の第２貨幣処理装置に装填するための貨幣を一括して出金することができる。操作者は、第１貨幣処理装置の出金操作を何回も繰り返さなくてもよい。操作者の操作が簡易になり、使い勝手が向上する。
【００１３】
操作者が複数の第２貨幣処理装置のそれぞれに貨幣を装填した後、管理部は、複数の第２貨幣処理装置に装填された貨幣の情報と、第１貨幣処理装置が一括して出金した貨幣の情報との比較により、両者の一致及び不一致を判断することができる。
【００１４】
前記管理部は、前記複数の第２貨幣処理装置に装填された貨幣の合計と、前記第１貨幣処理装置が出金した貨幣とが等しくなると、前記複数の第２貨幣処理装置への装填処理を終了する、としてもよい。
【００１５】
管理部は、第１貨幣処理装置からの出金から複数の第２貨幣処理装置への装填までの装填処理を、正確に管理することができる。
【００１６】
前記管理部は、前記第１貨幣処理装置が出金した後、所定時間が経過しても、前記複数の第２貨幣処理装置への装填処理が終了しないときに、外部に報知する、としてもよい。
【００１７】
こうすることで、操作者や管理者に、第２貨幣処理装置への装填が行われてないことを伝えることができる。その結果、操作者が、第２貨幣処理装置へ貨幣を装填し忘れることを防止することができる。また、不正の防止を図ることができる。
【００１８】
前記複数の第２貨幣処理装置は、前記貨幣の装填を順番に行い、前記管理部は、前記第２貨幣処理装置から貨幣の情報を受ける度に、前記第１貨幣処理装置が出金した貨幣の情報から、装填された貨幣分を減算することによって、未装填貨幣の情報を更新し、前記管理部はまた、次の第２貨幣処理装置が装填を行う際に、前記未装填貨幣の情報を、前記次の第２貨幣処理装置に送る、としてもよい。
【００１９】
こうすることで、複数の第２貨幣処理装置はそれぞれ、貨幣の装填を行うときに、未装填貨幣の情報を取得することができる。複数の第２貨幣処理装置はそれぞれ、装填することができる貨幣の上限を定めることができる。
【００２０】
前記第２貨幣処理装置は、貨幣の装填を行うときに、装填した貨幣が、前記未装填貨幣を超えるか否かを判断する、としてもよい。
【００２１】
第２貨幣処理装置が貨幣を過剰に装填してしまうことが抑制される。
【００２２】
前記第１貨幣処理装置は、装填用の貨幣を一括して出金するときに、操作者に、前記複数の第２貨幣処理装置それぞれに装填する予定の貨幣量を指定させ、前記第１貨幣処理装置はまた、前記装填する予定の貨幣量の合計に基づいて、装填用の貨幣を一括して出金する、としてもよい。
【００２３】
こうすることで、第１貨幣処理装置は、適切な量の貨幣を出金することができる。
【００２４】
前記第２貨幣処理装置は、装填する予定の貨幣量の情報を取得すると共に、前記装填する予定の貨幣量に従って貨幣の装填を行う、としてもよい。
【００２５】
こうすることで、複数の第２貨幣処理装置はそれぞれ、予め定められた量の貨幣を装填することができる。
【００２６】
ここに開示する貨幣処理システムは、貨幣の入金を行う第１貨幣処理装置と、貨幣を収納する、複数の第２貨幣処理装置と、前記複数の第２貨幣処理装置それぞれから回収された貨幣を、前記第１貨幣処理装置に入金する処理を管理する管理部と、を備える。
【００２７】
そして、前記複数の第２貨幣処理装置はそれぞれ、回収された貨幣の情報を前記管理部に送り、前記第１貨幣処理装置は、前記複数の第２貨幣処理装置のそれぞれから回収された貨幣を一括して入金すると共に、入金した貨幣の情報を前記管理部に送り、前記管理部は、前記第１貨幣処理装置が一括して入金した貨幣の情報と、前記複数の第２貨幣処理装置のそれぞれから回収された貨幣の情報とを比較する。
【００２８】
操作者は、第１貨幣処理装置に、複数の第２貨幣処理装置それぞれから回収した貨幣を、一回の操作によって一括して入金することができる。操作者は、第１貨幣処理装置の入金操作を何回も繰り返さなくてもよい。操作者の操作が簡易になり、使い勝手が向上する。
【００２９】
管理部は、複数の第２貨幣処理装置からの回収貨幣の情報と、第１貨幣処理装置からの一括入金の貨幣情報とを比較することによって、両者の一致及び不一致を判断することができる。
【００３０】
前記管理部は、前記複数の第２貨幣処理装置から回収された貨幣の合計と、前記第１貨幣処理装置に入金した貨幣とが等しくなると、前記複数の第２貨幣処理装置の回収処理を終了する、としてもよい。
【００３１】
管理部は、複数の第２貨幣処理装置からの回収から第１貨幣処理装置への入金までの回収処理を、正確に管理することができる。
【００３２】
前記管理部は、前記複数の第２貨幣処理装置から貨幣を回収した後、所定時間が経過しても、前記複数の第２貨幣処理装置の回収処理が終了しないときに、外部に報知する、としてもよい。
【００３３】
こうすることで、操作者や管理者に、第１貨幣処理装置への入金処理が行われてないことを伝えることができる。その結果、操作者が、第１貨幣処理装置へ貨幣を入金し忘れることを防止することができる。また、不正の防止を図ることができる。
【発明の効果】
【００３４】
以上説明したように、前記の貨幣処理システムによると、使い勝手を向上させることができる。
【図面の簡単な説明】
【００３５】
【図１】図１は、貨幣処理システムの全体構成を例示する図である。
【図２】図２は、出納機の構成を示すブロック図である。
【図３】図３は、両替機の構成を示すブロック図である。
【図４】図４は、出納機が実行する一括出金処理のフローチャートである。
【図５】図５は、両替機が実行する装填処理のフローチャート、及び、出納機が実行する装填管理処理のフローチャートである。
【図６】図６は、貨幣処理システムにおいて行われる装填処理の手順の一例を説明する図である。
【図７】図７は、装填管理情報の遷移例を示す説明図である。
【図８】図８は、両替機が実行する回収処理のフローチャート、及び、出納機が実行する回収管理処理のフローチャートである。
【図９】図９は、出納機が実行する一括入金処理のフローチャートである。
【図１０】図１０は、貨幣処理システムの変形例を例示する図である。
【発明を実施するための形態】
【００３６】
以下、貨幣処理システムの実施形態を図面に基づいて詳細に説明する。以下の説明は、貨幣処理システムの一例である。
【００３７】
図１は、貨幣処理システム１の構成例を示している。貨幣処理システム１は、例えば銀行等の金融機関に構築されている。貨幣処理システム１は、出納機２と、第１、第２、及び第３の、複数の両替機３１、３２、３３と、管理コンピュータ７１と、ネットワーク９と、を備えている。出納機２は、第１貨幣処理装置に対応し、複数の両替機３１、３２、３３はそれぞれ、複数の第２貨幣処理装置に対応する。
【００３８】
ネットワーク９は、出納機２、第１、第２、及び第３両替機３１、３２、３３、及び、管理コンピュータ７１を互いに接続している。出納機２、複数の両替機３１、３２、３３、及び、管理コンピュータ７１は互いに、ネットワーク９を通じて信号の送受信が可能である。
【００３９】
尚、符号７２、７３はそれぞれ、タブレット端末７２及びスマートフォン７３によって構成される携帯端末である。これらの携帯端末は、管理コンピュータ７１と有線又は無線により通信可能に構成されている。これらの携帯端末も、貨幣処理システム１を構成する。
【００４０】
管理コンピュータ７１は、貨幣処理システム１の全体の管理を行うよう構成されている。出納機２は、取引に関する情報を、管理コンピュータ７１に出力する。また、ユーザーは、管理コンピュータ７１に接続したタブレット端末７２及びスマートフォン７３を利用して、出納機２に関する各種の情報を表示したり、タブレット端末７２及びスマートフォン７３の操作を通じて、出納機２に対する各種の指示を入力したり、することが可能である。尚、タブレット端末７２又はスマートフォン７３が、出納機２の通信部４４と直接通信できる構成としてもよい。
【００４１】
尚、以下の説明において、第１両替機３１、第２両替機３２、及び第３両替機３３を総称するときには、単に両替機３と呼ぶ場合がある。
【００４２】
（出納機の構成）
出納機２は、入金処理及び出金処理を含む各種の処理を実行する。図２は、出納機２の構成を示すブロック図である。
【００４３】
出納機２は、バラ紙幣処理装置１００、帯封紙幣処理装置２００、バラ硬貨処理装置３００、包装硬貨処理装置４００、損貨・記念貨処理装置５００、有価媒体処理装置６００、及び、貨幣保管装置７００、及び、これらの各処理装置１００〜７００を統合制御する制御部２０を含んで構成されている。
【００４４】
バラ紙幣処理装置１００は、入金口に投入されたバラ紙幣を、処理装置内の収納部に収納する入金処理や、収納部に収納しているバラ紙幣を、出金口に払い出す出金処理を行うよう構成されている。
【００４５】
帯封紙幣処理装置２００は、所定枚数（例えば１００枚）の紙幣を一つに束ねた帯封紙幣を作成しかつ、帯封紙幣を処理装置内に収納するよう構成されていると共に、指定された金種及び束数の帯封紙幣を、処理装置外に出金する処理を行うよう構成されている。
【００４６】
バラ硬貨処理装置３００は、入金口に投入されたバラ硬貨を、処理装置内の収納部に収納する入金処理や、収納部に収納しているバラ硬貨を、出金口に払い出す出金処理を行うよう構成されている。
【００４７】
包装硬貨処理装置４００は、所定枚数（例えば５０枚）の硬貨を円筒形状に包装した包装硬貨を作成しかつ、包装硬貨を処理装置内に収納するよう構成されていると共に、指定された金種及び本数の包装硬貨を、処理装置外に出金する処理を行うよう構成されている。
【００４８】
損貨・記念貨処理装置５００は、傷みや汚れがひどいため、バラ硬貨処理装置３００で処理することができないバラ硬貨（損貨）、並びに、バラ硬貨処理装置３００が処理対象としていない記念硬貨などを処理装置内に収納する入金処理を行うよう構成されている。損貨・記念貨処理装置５００は、有価媒体処理装置６００の上面に配置されている（図１参照）。
【００４９】
有価媒体処理装置６００は、傷みや汚れがひどいため、バラ紙幣処理装置１００で処理することができないバラ紙幣（損券）、及び、バラ紙幣処理装置１００が処理対象としていない小切手等の有価媒体などを処理装置内に収納する入金処理を行うよう構成されている。
【００５０】
貨幣保管装置７００は、紙幣や硬貨、又は、有価証券類等を保管する収納ドロワを複数備えており、操作者が、収納ドロワを開閉することによって、収納ドロワに紙幣等を収納したり、収納ドロワから紙幣等を取り出したりするよう構成されている。
【００５１】
制御部２０は、バラ紙幣処理装置１００、帯封紙幣処理装置２００、バラ硬貨処理装置３００、包装硬貨処理装置４００、損貨・記念貨処理装置５００、有価媒体処理装置６００、貨幣保管装置７００を制御することによって、銀行の営業店舗における貨幣の出入の管理を行う。
【００５２】
出納機２はまた、第１ターミナル４１、第２ターミナル４２、プリンタ５０、記憶部４３、及び、通信部４４を備えている。
【００５３】
図１に示すように、第１ターミナル４１は、包装硬貨処理装置４００の上面に配置されており、第２ターミナル４２は、帯封紙幣処理装置２００の上面に配置されている。第１ターミナル４１及び第２ターミナル４２は同じ構成を有している。第１ターミナル４１及び第２ターミナル４２はそれぞれ、例えばタッチパネル式の表示操作部を有し、操作者に向けて情報を表示すると共に、操作者の操作を受け付ける。表示操作部は、表示を行う表示部と、操作者の操作を受け付ける操作部とに分けてもよい。第１ターミナル４１及び第２ターミナル４２はまた、操作者の認証を行うために、カード情報を読み取るカードリーダを有している。尚、以下の説明において、第１ターミナル４１及び第２ターミナル４２を総称する場合は、単にターミナル４と呼ぶ場合がある。
【００５４】
プリンタ５０は、例えば感熱式プリンタや、インクジェットプリンタによって構成され、取引を行う毎に伝票の印刷をしたり、各種のレシートの印刷を行ったりする。プリンタ５０は、バラ紙幣処理装置１００の上面と、バラ硬貨処理装置３００の上面とのそれぞれに配置されている（図１参照）。
【００５５】
記憶部４３は、例えばハードディスクドライブや、不揮発性メモリによって構成されている。記憶部４３は、制御部２０に対して、信号の授受可能に接続されている。記憶部４３は、出納機２において収納している紙幣及び硬貨の在高情報を記憶している。記憶部４３はまた、後述するように、両替機３に対する装填処理を行うときの装填管理情報や、両替機３に対する回収処理を行うときの回収管理情報を記憶している。
【００５６】
通信部４４は、ネットワーク９を介して管理コンピュータ７１や、両替機３との間における通信を行う。通信部４４は、制御部２０に対して、信号の授受可能に接続されている。
【００５７】
制御部２０は、入金処理部２１、出金処理部２２、装填管理部２３、及び、回収管理部２４を含んでいる。入金処理部２１、出金処理部２２、装填管理部２３、及び、回収管理部２４はそれぞれ、所定の機能を実現する制御部２０の機能ブロックである。
【００５８】
入金処理部２１は、操作者がターミナル４を操作することに従い、バラ紙幣処理装置１００，帯封紙幣処理装置２００，バラ硬貨処理装置３００、及び／又は、包装硬貨処理装置４００に、バラ紙幣、帯封紙幣、バラ硬貨、及び／又は、包装硬貨を入金する処理を実行する。
【００５９】
出金処理部２２は、操作者がターミナル４を操作することに従い、バラ紙幣処理装置１００，帯封紙幣処理装置２００，バラ硬貨処理装置３００、及び／又は、包装硬貨処理装置４００から、バラ紙幣、帯封紙幣、バラ硬貨、及び／又は、包装硬貨を出金する処理を実行する。
【００６０】
装填管理部２３及び回収管理部２４の機能については、後述する。
【００６１】
（両替機の構成）
図３は、両替機３の構成を示すブロック図である。両替機３は、紙幣処理部３０１、バラ硬貨処理部３０２、包装硬貨処理部３０３、表示操作部３０４、カード処理部３０５、プリンタ３０６、記憶部３０７、通信部３０８、及び、制御部３０を含んで構成されている。
【００６２】
紙幣処理部３０１は、図示は省略するが、バラ紙幣を収納する入金庫及び複数の出金庫を有している。紙幣処理部３０１は、バラ紙幣を金種毎に出金庫に収納している。紙幣処理部３０１は、両替処理の際に、必要な額に相当する金種および枚数の紙幣を紙幣入出金口に払い出す。紙幣処理部３０１はまた、両替処理時に出金する両替用のバラ紙幣を、出金庫に装填する。
【００６３】
バラ硬貨処理部３０２は、図示は省略するが、バラ硬貨を収納する複数の硬貨出金庫を有している。バラ硬貨処理部３０２は、バラ硬貨を金種毎に硬貨出金庫に収納している。バラ硬貨処理部３０２は、両替処理の際に、必要な額に相当する金種および枚数のバラ硬貨をバラ硬貨出金口に払い出す。バラ硬貨処理部３０２はまた、両替用のバラ硬貨を、硬貨出金庫に装填する。
【００６４】
包装硬貨処理部３０３は、図示は省略するが、包装硬貨を収容する複数のカセットを有している。包装硬貨処理部３０３は、包装硬貨を金種毎に収納している。包装硬貨処理部３０３は、両替処理の際に、必要な額に相当する金種および本数の包装硬貨を包装硬貨出金口に払い出す。
【００６５】
表示操作部３０４は、例えばタッチパネル式に構成されている。表示操作部３０４は、操作者に向けて情報を表示すると共に、操作者の操作を受け付ける。表示操作部３０４は、表示を行う表示部と、操作者の操作を受け付ける操作部とに分けてもよい。
【００６６】
カード処理部３０５は、顧客等のカードが挿入されるカード挿入口を有し、カードに記憶された情報を読み取ることによって、操作者を特定する。
【００６７】
プリンタ３０６は、例えば感熱式プリンタや、インクジェットプリンタによって構成されている。プリンタ３０６は、両替処理が行われた場合等における明細をレシートに印刷し、印刷済みのレシートを、レシート発行口から操作者に発行する。
【００６８】
記憶部３０７は、例えばハードディスクドライブや、不揮発性メモリによって構成されている。記憶部３０７は、制御部３０に対して、信号の授受可能に接続されている。記憶部３０７は、両替機３に関する様々な情報を記憶している。
【００６９】
通信部３０８は、ネットワーク９を介して管理コンピュータ７１や、出納機２との間における通信を行う。通信部４４は、制御部３０に対して、信号の授受可能に接続されている。
【００７０】
制御部３０は、両替処理部３１０、装填処理部３１１、回収処理部３１２を含んでいる。両替処理部３１０、装填処理部３１１、回収処理部３１２はそれぞれ、制御部３０の機能ブロックである。
【００７１】
両替処理部３１０は、顧客が紙幣入出金口に投入した紙幣を両替機３内に取り込むと共に、顧客によって出金用に指定された金種の紙幣、バラ硬貨、及び／又は、包装硬貨を、紙幣処理部３０１の出金庫、バラ硬貨処理部３０２の硬貨出金庫、及び／又は、包装硬貨処理部３０３のカセットから繰り出して、紙幣入出金口、バラ硬貨出金口、及び／又は、包装硬貨出金口から顧客に払い出す。
【００７２】
装填処理部３１１は、紙幣の装填時には、操作者が紙幣入出金口に投入した紙幣を両替機３内に取り込んで識別及び計数を行うと共に、当該紙幣を金種毎に複数の出金庫に収納する。また、装填処理部３１１は、装填カセットを用いて紙幣の装填処理を行う場合は、両替機３に装着された装填カセットから紙幣を繰り出して識別及び計数した後に、当該紙幣を金種毎に複数の出金庫に収納する。装填処理部３１１はまた、装填した紙幣に関する情報（金種及び枚数）を、記憶部３０７に記憶させる。
【００７３】
装填処理部３１１はまた、装填用硬貨が硬貨出金庫に投入された場合は、硬貨出金庫から、装填用硬貨を繰り出して、識別及び計数を行った後、当該装填用硬貨を、金種毎に硬貨出金庫に収納する。また、装填用硬貨出金庫が、両替機３に装着された場合、装填処理部３１１は、当該装填用硬貨出金庫から装填用硬貨を繰り出して、識別及び計数を行った後、装填用硬貨を、金種毎に硬貨出金庫に収納する。装填処理部３１１はまた、装填したバラ硬貨に関する情報（金種及び枚数）を、記憶部３０７に記憶させる。
【００７４】
また、操作者が装填用包装硬貨をカセットに装填した時に、装填処理部３１１は、計数部を用いてカセット内に装填された包装硬貨の識別及び計数を行う。装填処理部３１１は、装填した包装硬貨に関する情報（金種及び個数）を、記憶部３０７に記憶させる。
【００７５】
装填処理部３１１はまた、詳細は後述するが、紙幣、バラ硬貨、及び／又は、包装硬貨の装填を行ったときに、装填した貨幣の金種及び枚数（又は個数）を、装填情報として出納機２に送信する。
【００７６】
回収処理部３１２は、紙幣の回収時には、操作者が、両替機３から出金庫を取り出すことを許容する。また、回収処理部３１２は、バラ硬貨の回収時には、硬貨出金庫内のバラ硬貨を回収箱に搬送すると共に、操作者が回収箱を両替機から取り出すことを許容する。また、詳細は後述するが、回収処理部３１２は、回収処理を行ったときに、回収された貨幣の金種及び枚数を、回収情報として出納機２に、送信する。
【００７７】
（装填処理）
次に、貨幣処理システム１における装填処理の詳細について、図４及び図５のフローチャートを参照しながら説明をする。図４は、出納機２において、装填用の貨幣を出金するときの手順に係るフローを示している。図５は、両替機３において貨幣を装填するときの両替機３の手順に係るフロー５１、及び、両替機３に連携する出納機２の装填管理処理の手順に係るフロー５２を示している。この貨幣処理システム１は、出納機２が、複数の両替機３のそれぞれに装填するための貨幣を、複数の両替機３ごとに出金するのではなく、一括して出金することができるよう構成されている。
【００７８】
図４のフローは、出納機２の制御部２０における装填管理部２３が、主に実行するフローである。ステップＳ４１において、出納機２の制御部２０は、ターミナル４を通じて、操作者のＩＤ認証を行う。続くステップＳ４２において、制御部２０は、操作者がターミナル４を操作することにより、メニューの選択、つまり、これから出納機２において実行する処理の選択を行わせる。
【００７９】
ステップＳ４３において制御部２０は、ステップＳ４２において選択された処理が、装填用貨幣の出金処理であるか否かを判断する。選択された処理が装填用貨幣の出金処理であるときには、プロセスは、ステップＳ４４に進む。一方、選択された処理が装填用貨幣の出金処理でないときには、プロセスは、ステップＳ４８に進む。ステップＳ４８において制御部２０は、選択された処理を実行する。
【００８０】
ステップＳ４４において、制御部２０は、操作者に、装填用の貨幣に関する情報を、ターミナル４を通じて入力させる。ステップＳ４４において操作者は、複数の両替機３に貨幣を装填するときには、両替機３ごとに、装填する貨幣の金種及び枚数を入力する。ステップＳ４５において制御部２０は、情報入力が終了したか否かを判断する。操作者が、次の両替機３についての装填用貨幣の情報を入力するのであれば、プロセスはステップＳ４４に戻る。操作者が、装填を予定している全ての両替機３について装填用貨幣の情報を入力すれば、プロセスは、ステップＳ４５からステップＳ４６に進む。尚、ステップＳ４４において操作者は、貨幣を装填しようとする両替機３を特定しなくてもよい。
【００８１】
装填用貨幣の情報が全て入力されると、ステップＳ４６において、制御部２０は、装填用の貨幣の出金処理を行う。このときに、制御部２０は、ステップＳ４４において入力された貨幣を、一括して出金する。全ての貨幣が出金された後、制御部２０は、プリンタ５０を用いて、出金伝票を出力する。ここで、複数の両替機３のそれぞれに装填する貨幣を出金するときでも、一括して出金を行うため、出金伝票は一枚のみである。
【００８２】
出金処理が終了すると、制御部２０は、続くステップＳ４７において、ステップＳ４６において行った出金処理に係る装填管理情報を生成し、記憶部４３に記憶させる。装填管理情報は、少なくとも、出金した貨幣の金種及び枚数の情報、及び、連携用番号を含んでいる。「連携用番号」は、装填用貨幣を出金する毎に付与される番号であり、後述の通り、両替機３において装填処理を行うときに必要となる。制御部２０はまた、連携用番号を記載したレシートを、プリンタ５０を用いて出力する。操作者は、連携用番号が記載されたレシートを受け取る。
【００８３】
装填管理情報は、未装填貨幣の情報を含んでいる。未装填貨幣の情報は、出納機２が出金した貨幣のうち、両替機３に装填されていない貨幣の情報である。ステップＳ４６において装填管理情報を生成した時点では、出金した貨幣の情報と、未装填貨幣の情報とは一致する。制御部２０は、後述するように、未装填貨幣の情報を、両替機３が装填処理を行う度に、更新する。
【００８４】
次に、両替機３における装填処理について説明をする。ここで、複数の両替機３は、二台以上の両替機３が同時に装填処理を行うことが禁止されている。例えば、後述するように、装填処理を行おうとする両替機３から出納機２に問い合わせを行ったときに、他の両替機３が装填処理を行っているのであれば、出納機２が、これから装填処理を行おうとする両替機３が装填処理を開始することを禁止してもよい。
【００８５】
図５のフロー５１は、両替機３の制御部３０における装填処理部３１１が、主に実行するフローである。ステップＳ５１１において、両替機３の制御部３０は、操作者が表示操作部３０４を操作することにより、メニューの選択、つまり、これから両替機３において実行する処理の選択を行わせる。
【００８６】
ステップＳ５１２において制御部３０は、ステップＳ５１１において選択された処理が、装填処理であるか否かを判断する。選択された処理が装填処理であるときには、プロセスは、ステップＳ５１３に進む。一方、選択された処理が装填処理でないときには、プロセスは、ステップＳ５１９に進む。ステップＳ５１９において制御部３０は、ステップＳ５１１において選択された処理を実行する。
【００８７】
ステップＳ５１３において、制御部３０は、操作者に、連携用番号を、表示操作部３０４を通じて入力させる。連携用番号が入力されると、続くステップＳ５１４において制御部３０は、連携用番号に基づいて、出納機２に対し、装填管理情報の問い合わせを行う。
【００８８】
図５のフロー５２は、出納機２の制御部２０における装填管理部２３が、主に実行するフローである。ステップＳ５２１において、出納機２の制御部２０は、両替機３からの問い合わせを取得したか否かを判断する。問い合わせを取得したときには、プロセスはステップＳ５２２に進み、問い合わせを取得していないときには、プロセスはステップＳ５２５に進む。
【００８９】
ステップＳ５２２において制御部２０は、連携用番号に対応する装填管理情報が、記憶部４３に記憶されているか否かを判断する。対応する装填管理情報が記憶されているときには、プロセスは、ステップＳ５２３に進む。対応する装填管理情報が記憶されていないときには、プロセスは、ステップＳ５２４に進む。後述の通り、出納機２が一括出金をした貨幣が全て、両替機３に装填された結果、装填管理情報が消去されたときも、プロセスは、ステップＳ５２２からＳ５２４に進む。
【００９０】
ステップＳ５２３において制御部２０は、装填管理情報を、両替機３に送信する。また、ステップＳ５２４において制御部２０は、対応する装填管理情報が無いことを、両替機３に送信する。
【００９１】
フロー５１に戻り、ステップＳ５１５において両替機３の制御部３０は、装填管理情報を取得（つまり、受信）したか否かを判断する。装填管理情報を受信したときには、プロセスはステップＳ５１６に進む。一方、装填管理情報を受信しなかったときには、プロセスはステップＳ５１１０に進む。ステップＳ５１１０において制御部３０は、表示操作部３０４を通じて、装填管理情報が無いため装填処理をすることができない旨を、操作者に報知する。
【００９２】
一方、ステップＳ５１６において制御部３０は、装填処理を実行する。制御部３０は、操作者が指定をした金種及び枚数の貨幣を、装填する。装填処理が終了すると、制御部３０は、装填した貨幣の金種及び枚数の情報を、装填情報として記憶部３０７に記憶させる。
【００９３】
続くステップＳ５１７において、制御部３０は、ステップＳ５１６において実行した装填処理の装填情報と、出納機２から取得した装填管理情報とを比較する。そして、制御部３０は、装填処理時に装填をした貨幣の数が、装填管理情報に記録されている未装填貨幣の数を超えたか否か、言い替えると、両替機３に、貨幣が過剰に装填されたか否かを判断する。ステップＳ５１７の判断がＹＥＳのとき（つまり、過剰に装填されていないとき）には、プロセスはステップＳ５１８に進む。一方、ステップＳ５１７の判断がＮＯのとき（つまり、過剰に装填されたとき）には、プロセスはステップＳ５１１１に進む。
【００９４】
ステップＳ５１１１において制御部３０は、操作者に対して、貨幣が過剰に装填されたことを、表示操作部３０４を通じて報知し、続くステップＳ５１１２において制御部３０は、過剰に装填された分の貨幣を操作者に戻す等の、過剰対応処理を実行する。そして、過剰状態が解消されれば、プロセスはステップＳ５１８に進む。
【００９５】
ステップＳ５１８において、制御部３０は、実行した装填処理に関する情報、つまり、両替機３に装填をした貨幣の金種及び枚数の情報、並びに、連携用番号を、出納機２に送信する。これにより、当該両替機３における処理は終了する。
【００９６】
フロー５２において、出納機２の制御部２０は、ステップＳ５２５において、両替機３から装填情報を取得したか否かを判断する。装填情報を所得したときには、プロセスはステップＳ５２６に進む。装填情報を取得していないときには、プロセスは終了する。
【００９７】
ステップＳ５２６において制御部２０は、連携用番号に基づいて、記憶部４３に記憶している装填管理情報の中に、対応する装填管理情報があるか否かを判断する。対応する装填管理情報があるときには、プロセスはステップＳ５２７に進み、対応する装填管理情報がないときには、プロセスはステップＳ５２８に進む。ステップＳ５２８において制御部２０は、対応する装填管理情報が無いことを、両替機３に返信する。
【００９８】
ステップＳ５２７において、制御部２０は、装填管理情報と、両替機３が送信した装填情報とを比較する。制御部２０（装填管理部２３）は、出納機２が出金した貨幣を、複数の両替機３に装填する処理を管理する管理部に相当する。制御部２０はまた、記憶している装填管理情報から、両替機３が送信した装填情報に係る装填分を減算することにより、装填管理情報を更新する。
【００９９】
続くステップＳ５２９において、制御部２０は、装填管理情報を更新した結果、残枚数がゼロになったか否かを判断する。つまり、出納機２が一括出金した貨幣が全て、両替機３に装填されたか否かを判断する。残枚数がゼロでないときには、プロセスはそのまま終了する。一方、残枚数がゼロであれば、プロセスはステップＳ５２１０に進む。
【０１００】
ステップＳ５２１０において制御部２０は、一括出金した貨幣が全て、両替機３に装填されているため、装填管理情報を消去し、プロセスを終了する。貨幣処理システム１が実行する装填処理、つまり、出納機２の出金から両替機３の装填までの一連の処理が全て終了する。
【０１０１】
前述したように、複数の両替機３は、順番に装填処理を実行する。フロー５２のステップＳ５２７において装填管理情報が更新されるため、次に装填処理を実行する両替機３は、フロー５１のステップＳ５１５において、更新された装填管理情報を受信する。従って、当該両替機３は、ステップＳ５１７において、更新された装填管理情報に基づいて、貨幣が過剰に装填されたか否かを判断する。更新された装填管理情報に基づいて、次の両替機３は、貨幣が過剰に装填されたか否かを判断することにより、出納機２が一括で出金した貨幣が、複数の両替機３に対して過剰に装填されてしまうことを効果的に抑制することができる。
【０１０２】
尚、ステップＳ５１７において両替機３の制御部３０は、当該両替機３で装填した貨幣が、出納機２から取得した装填管理情報に対して不足していることは判断しなくてもよい。この後に、他の両替機３が装填処理を実行する可能性があるためである。
【０１０３】
出納機２は、装填用の貨幣の一括出金を行った後、所定時間が経過しても、複数の両替機３の装填処理が終了しないときには、外部に報知を行ってもよい。具体的に、出納機２の制御部２０は、記憶部４３が記憶している情報を定期的に監視することにより、装填用の貨幣の一括出金を行った後、所定時間が経過しても、装填管理情報が消去されずに残っているときには、例えば管理コンピュータ７１に警告画面に表示させる、及び／又は、管理コンピュータ７１を通じて、金融機関の管理者や操作者のタブレット端末７２又はスマートフォン７３に通知する、ようにしてもよい。装填管理情報は、一括出金の日時を記録していてもよい。こうすることで、操作者が、両替機３へ貨幣を装填し忘れることを防止することができる。また、不正の防止を図ることができる。
【０１０４】
次に、図６及び図７を参照しながら、貨幣処理システム１における装填処理について、具体例に沿って説明をする。この例では、操作者は、第１両替機３１及び第２両替機３２のそれぞれに、紙幣とバラ硬貨との装填を行う。操作者は、第１両替機３１に、６０枚の一万円札と、３００枚の５００円硬貨とを装填すると共に、第２両替機３２に、４０枚の一万円札と、２００枚の５００円硬貨とを装填する。図７は、装填管理情報の遷移を示す図である。
【０１０５】
先ず、操作者は、出納機２から、第１両替機３１及び第２両替機３２に装填する紙幣及び硬貨を一括で出金する。この例において、出納機２は、１００枚の一万円札と、５００枚の５００円硬貨とを出金する。出納機２は、装填管理情報を作成し、記憶する（ステップ（１））。装填管理情報は、図７の符号７０１に示すように、出金枚数として、一万円が１００枚、及び、５００円硬貨が５００枚であることと、第１両替機３１、第２両替機３２、及び、第３両替機３３には未装填であること、及び、残枚数（つまり、未装填枚数）として、一万円が１００枚、及び、５００円硬貨が５００枚であることが記録されている。またこのときに、出納機２は、連携用番号を出力する。図例の装填管理情報は、連携用番号、操作者ＩＤ、及び、出金日時の各情報を記録している。
【０１０６】
次に、操作者は、第１両替機３１において、装填処理を行う。このときに、操作者は、第１両替機３１に連携用番号を入力する。入力された連携用番号に基づいて、第１両替機３１と出納機２との間で装填用管理情報が特定される（ステップ（２））。操作者は、第１両替機３１において、６０枚の一万円札と、３００枚の５００円硬貨とを装填する。第１両替機３１は、装填情報を出納機２に送信する（ステップ（３））。装填情報を受信した出納機２は、装填管理情報を更新する（ステップ（４））。装填管理情報は、図７の符号７０２に示すように、第１両替機３１に、６０枚の一万円札と３００枚の５００円硬貨とが装填されたこと、第２両替機３２、及び、第３両替機３３には未装填であること、及び、残枚数（つまり、未装填貨幣）として、一万円が４０枚、及び、５００円硬貨が２００枚であることが記録されている。
【０１０７】
次に、操作者は、第２両替機３２において、装填処理を行う。このときに、操作者は、第２両替機３２に、同じ連携用番号を入力する。入力された連携用番号に基づいて、第２両替機３２と出納機２との間で装填用管理情報が特定される（ステップ（５））。操作者は、第２両替機３２において、４０枚の一万円札と、２００枚の５００円硬貨とを装填する。第２両替機３２は、装填情報を出納機２に送信する（ステップ（６））。装填情報を受信した出納機２は、装填管理情報を更新する。装填管理情報は、図７の符号７０３に示すように、第１両替機３１に、６０枚の一万円札と３００枚の５００円硬貨とが装填されたこと、第２両替機３２に、４０枚の一万円札と２００枚の５００円硬貨とが装填されたこと、及び、第３両替機３３には未装填であること、並びに、残枚数が全て０枚であることが記録されている。残枚数が全て０枚であるため、出納機２は、当該装填管理情報を消去し、貨幣処理システム１における装填処理が完了する（ステップ（７））。
【０１０８】
このように、貨幣処理システム１においては、複数の両替機３のそれぞれに装填する貨幣を、出納機２が一括で出金することが可能である。操作者は、出納機２の出金操作を何回も繰り返さなくてもよい。操作者の操作が簡易になり、使い勝手が向上する。
【０１０９】
また、出納機２は、装填管理情報に基づいて、複数の両替機３からの装填貨幣の情報と、出納機２における一括出金の貨幣情報とを比較することにより、出納機２と、複数の両替機３との間の貨幣の授受を管理することができる。その結果、出納機２が、複数の両替機３のそれぞれに装填する貨幣を一括して出金しても、貨幣の管理を正確に行うことができる。
【０１１０】
尚、出納機２は、装填管理情報を消去しても、出納機２が出金した貨幣の情報と、各両替機３に装填した貨幣の情報とを対応付けて、記憶部４３に記憶するようにしてもよい。こうすることで、操作者は、出納機２が行った一括出金について、どの両替機にいくらの装填が行われたか情報を、照会することができるようになる。
【０１１１】
尚、金融機関の業務修了時等の、出納機２においてデータクリア処理を実行する際に、記憶部４３に装填管理情報が記憶されているとき（つまり、装填管理情報が消去されていないとき）には、出納機２は、ターミナル４に、警告表示を行うようにしてもよい。出金した貨幣が全て、装填されていない可能性があるためである。警告表示を行うことにより、出金した貨幣が全て両替機３に装填されることが期待でき、違算の発生を抑制することができる。
【０１１２】
また、前記の構成では、出納機２が一括出金を行うときに、操作者は、装填処理を行う両替機３を指定していないが、出納機２が一括出金を行うときに、操作者は、装填処理を行う両替機３（つまり、第１両替機３１、第２両替機３２、等）を指定すると共に、当該両替機３に装填する予定の貨幣の金種及び枚数を指定するようにしてもよい。この場合、操作者が指定した、両替機３毎の装填予定金種及び枚数は、連携用番号を記載したレシートに記載してもよい。こうすることで、操作者は、レシートに記載された情報を見ながら、複数の両替機３のそれぞれに、予定している金種及び枚数の貨幣を装填することができる。操作者は、複数の両替機３に対する装填処理をスムースに行うことができる。
【０１１３】
また、操作者が指定した、両替機３毎の装填予定金種及び枚数は、装填管理情報に記録してもよい。こうすることで、両替機３が、出納機２から装填管理情報を所得して装填処理を行うときに、当該両替機３は、装填管理情報に記録されている装填予定金種及び枚数の情報に従って、装填処理を実行することができる。例えば操作者は、手元の装填用紙幣を全て、両替機３の紙幣入出金口に投入すれば、両替機３が、予定している金種及び枚数の紙幣のみを、出金庫に収納し、残りの紙幣を紙幣入出金口に残す、及び／又は、リジェクト部に排出することができる。これにより、当該両替機３における装填処理が完了する。
【０１１４】
また、例えば装填カセットを用いて装填処理を行う場合は、両替機３が、予定している金種及び枚数の紙幣のみを、装填カセットから繰り出して出金庫に収納し、残りの紙幣を装填カセットに残すことにより、当該両替機３における装填処理が完了する。この場合、操作者は、当該両替機３から取り外した装填カセットを、次の両替機３に装着することによって、次の両替機３の装填処理も、同様に、行うことができる。
【０１１５】
装填予定の金種及び枚数を予め指定しておくと、操作者は、複数の両替機３に対する装填処理を、より簡易に行うことができる。
【０１１６】
また、複数の両替機３のそれぞれに対する装填予定の金種及び枚数は、操作者が手動で指定する他にも、出納機２の制御部２０が自動で決定してもよい。具体的に制御部２０は、予め設定した標準貨幣量（つまり、両替機３が収納する貨幣の標準量）と、各両替機３の在高情報（つまり、各両替機３が現時点で収納している貨幣量）とを比較することによって、装填予定の金種及び枚数を演算してもよい。こうすることで、操作者が、装填しようとする両替機３を指定すると、当該両替機３に装填すべき貨幣の金種及び枚数が、自動的に設定されるようになる。
【０１１７】
また、出納機２は、複数の両替機３のそれぞれに対する装填予定の金種及び枚数を、例えば管理コンピュータ７１や、タブレット端末７２又はスマートフォン７３から、入手するようにしてもよいし、装填予定の金種及び枚数を記録した記録媒体（例えばＩＣカード、図示省略）から読み込むようにしてもよい。
【０１１８】
（回収処理）
次に、貨幣処理システム１における回収処理の詳細について、図８及び図９のフローチャートを参照しながら説明をする。図８は、両替機３において貨幣の回収を行うときの手順に係るフロー８１、及び、両替機３に連携する出納機２の回収管理処理の手順に係るフロー８２を示している。図９は、出納機２において、両替機３から回収された貨幣を入金するときの手順に係るフローを示している。この貨幣処理システム１は、出納機が、複数の両替機３のそれぞれから回収した貨幣を、複数の両替機３ごとに入金するのではなく、一括して入金することができるよう、構成されている。
【０１１９】
先ず、両替機３における回収処理について説明をする。図８のフロー８１は、両替機３の制御部３０における回収処理部３１２が、主に実行する。ステップＳ８１１において、制御部３０は、操作者が表示操作部３０４を操作することにより、メニューの選択を行わせる。
【０１２０】
ステップＳ８１２において制御部３０は、ステップＳ８１１において選択された処理が、収納貨幣の回収処理であるか否かを判断する。選択された処理が回収処理であるときには、プロセスは、ステップＳ８１３に進む。一方、選択された処理が装填処理でないときには、プロセスは、ステップＳ８１６に進む。ステップＳ８１６において制御部３０は、ステップＳ８１１で選択された処理を実行する。
【０１２１】
ステップＳ８１３において、制御部３０は、回収処理を実行する。回収処理が終了すると、制御部３０は、ステップＳ８１４において、回収した貨幣の金種及び枚数の情報を、回収情報として記憶部３０７に記憶させる。制御部３０はまた、連携用番号を記載したレシートを、プリンタ３０６を用いて出力する。操作者は、連携用番号が記載されたレシートを受け取る。なお、連携用番号は、（１台目の）両替機３から紙幣を回収する際に付与される番号である。
【０１２２】
ステップＳ８１５において、制御部３０は回収情報、及び、連携用番号を、出納機２に送信する。
【０１２３】
図８のフロー８２は、出納機２の制御部２０における回収管理部２４が、主に実行する。ステップＳ８２１において、出納機２の制御部２０は、両替機３からの回収情報を取得したか否かを判断する。回収情報を取得したときには、プロセスはステップＳ８２２に進み、回収情報を取得していないときには、プロセスはステップＳ８２１を繰り返す。
【０１２４】
ステップＳ８２２において制御部２０は、受信した回収情報の連携用番号に基づいて、記憶部４３が、対応する回収管理情報を記憶しているか否かを判断する。対応する回収管理情報があるときには、プロセスはステップＳ８２３に進み、対応する回収管理情報がないときには、プロセスはステップＳ８２４に進む。
【０１２５】
ステップＳ８２３において制御部２０は、受信した回収情報に基づいて、回収管理情報を生成し、記憶部４３に記憶させる。回収管理情報は、回収した貨幣の金種及び枚数の情報、及び、連携用番号を含んでいる。
【０１２６】
操作者は、複数の両替機３から回収した貨幣を、出納機２に一括入金しようとするときには、操作者は、次の両替機３において回収処理を行うときに、以前に回収処理を行った両替機３が出力した連携用番号を、次の両替機３においても入力する。こうすることで、連携用番号に基づいて、複数の両替機３から回収された貨幣を紐付けることができる。尚、操作者は、出納機２に一括入金しないときには、連携用番号の入力は行わない。
【０１２７】
次の両替機３において、前記と同様に、回収処理を行うと、フロー８１のステップＳ８１４において、制御部３０は、回収情報を生成する。連携用番号が予め入力されているときには、回収情報に、当該連携用番号が記録される。制御部３０は、その後、ステップＳ８１５において、出納機２に回収情報を送信する。
【０１２８】
回収情報を受信した出納機２において、制御部２０は、ステップＳ８２２において、同一の連携用番号を含む回収管理情報が、記憶部４３に記憶されているか否かを判断する。同一の連携用番号を含む回収管理情報があるときには、制御部２０は、ステップＳ８２３において、当該回収管理情報の更新を行う。具体的に、制御部２０は、記憶している回収管理情報に、両替機３が送信した回収情報に係る回収分を加算することにより、回収管理情報を更新する。回収管理情報には、複数の両替機３から回収した貨幣情報が記録される。一方、同一の連携用番号を含む回収管理情報がないときには、制御部２０は、ステップＳ８２４において、新たな回収管理情報を生成する。
【０１２９】
次に、出納機２における回収貨幣の入金処理について説明をする。図９のフローは、出納機２の制御部２０における回収管理部２４が、主に実行する。ステップＳ９１において、制御部２０は、ターミナル４を通じて、操作者のＩＤ認証を行う。続くステップＳ９２において、制御部２０は、操作者がターミナル４を操作することにより、メニューの選択を行わせる。
【０１３０】
ステップＳ９３において制御部２０は、ステップＳ９２において選択された処理が、回収貨幣の一括入金処理であるか否かを判断する。選択された処理が一括入金処理であるときには、プロセスは、ステップＳ９４に進む。一方、選択された処理が一括入金処理でないときには、プロセスは、ステップＳ９１１に進む。ステップＳ９１１において制御部２０は、選択された処理を実行する。
【０１３１】
ステップＳ９４において、制御部２０は、操作者に、連携用番号を、ターミナル４を通じて入力させる。制御部２０は、ステップＳ９５において、入力された連携用番号に対応する回収管理情報が、記憶部４３に記憶されているか否かを判断する。回収管理情報が記憶部４３に記憶されているときには、プロセスはステップＳ９６に進む。回収管理情報が記憶部４３に記憶されていないときには、プロセスはステップＳ９１０に進む。ステップＳ９１０において制御部２０は、回収管理情報が無いため、一括入金処理をすることができない旨を、操作者に報知する。
【０１３２】
ステップＳ９６において制御部２０は、一括入金処理を実行する。続くステップＳ９７において制御部２０は、一括入金の情報と、回収管理情報とを比較する。制御部２０（回収管理部２４）は、複数の両替機３それぞれから回収された貨幣を、出納機２に入金する処理を管理する管理部に相当する。制御部２０はまた、回収管理情報から、一括入金処理において入金した貨幣分を減算する。
【０１３３】
次のステップＳ９８において、制御部２０は、回収管理情報の残枚数がゼロになったか否かを判断する。残枚数がゼロでないときには、プロセスは終了する。この場合、操作者は、回収貨幣の入金処理を追加して行うことになる。ステップＳ９８において、残枚数がゼロになったときには、プロセスはステップＳ９９に進み、回収管理情報を消去する。これにより、貨幣処理システム１が実行する回収処理、つまり、複数の両替機３の回収から出納機２の入金までの一連の処理が全て終了する。
【０１３４】
回収処理においても同様に、出納機２は、両替機３において回収処理を行った後、所定時間が経過しても、複数の両替機３から回収した貨幣の入金処理が終了しないときには、外部に報知を行ってもよい。具体的に、出納機２の制御部２０は、回収管理情報を生成した後、記憶部４３が記憶している情報を定期的に監視することにより、所定時間が経過しても、回収管理情報が消去されずに残っているときには、例えば管理コンピュータ７１に警告画面に表示させる、及び／又は、管理コンピュータ７１を通じて、金融機関の管理者や操作者のタブレット端末７２又はスマートフォン７３に通知する、ようにしてもよい。回収管理情報は、最初の両替機３の回収の日時を記録していてもよい。こうすることで、操作者が、出納機２に貨幣を入金し忘れることを防止することができる。また、不正の防止を図ることができる。
【０１３５】
（他の構成例）
貨幣処理システム１は、一回の出金処理において装填することができる両替機３の数を、所定の数に制限するようにしてもよい。両替機３の上限数は、操作者のランク（例えば出納係、一般担当者、新人担当者等）に応じて、増減してもよい。例えばランクが上位の操作者ほど、上限数を多く、ランクが下位の操作者ほど、上限数を少なくしてもよい。出納機２は、操作者のランクを、出納機２においてＩＤ認証を行うときに、把握することができる。
【０１３６】
同様に、貨幣処理システム１は、一回の入金処理によって回収することができる両替機３の数を、所定の数に制限するようにしてもよい。両替機３の上限数は、操作者のランクに応じて、増減してもよい。
【０１３７】
また、貨幣処理システム１は、一括出金処理時の出金額（合計金額）を、所定の金額に制限するようにしてもよい。また、貨幣処理システム１は、一括入金処理時の入金額（合計金額）を、所定の金額に制限するようにしてもよい。この合計金額は、操作者のランクに応じて、増減してもよい。
【０１３８】
貨幣処理システム１は、前記の構成では、連携用番号に基づいて装填管理情報又は回収管理情報を特定し、出納機２と複数の両替機３との間の貨幣の授受を管理している。連携用番号に代えて、出納機２又は両替機は３、バーコード等の識別子を出力（例えば印刷）すると共に、バーコード等の識別子を読み取ることによって、装填管理情報又は回収管理情報を特定するようにしてもよい。また、貨幣処理システム１は、出納機２及び両替機３を操作する操作者のＩＤに基づき、装填管理情報又は回収管理情報を特定してもよい。
【０１３９】
また、連携用番号に基づいて装填管理情報又は回収管理情報を特定するのではなく、操作者が、装填管理情報又は回収管理情報を指定するようにしてもよい。具体的に、両替機３において装填処理を行うときに、両替機３の表示操作部３０４に、出納機２が記憶している装填管理情報の一覧を表示させ、操作者に、対応する装填管理情報を選択させてもよい。同様に、出納機２において回収貨幣の入金処理を行うときに、ターミナル４に、出納機２が記憶している回収管理情報の一覧を表示し、操作者に、対応する回収管理情報を選択させてもよい。
【０１４０】
前記の貨幣処理システム１では、出納機２が、装填管理情報及び回収管理情報を記憶しており、出納機２の制御部２０が、装填処理、及び、回収処理の管理を行っている。これとは異なり、貨幣処理システム１の管理コンピュータ７１が、装填管理情報及び回収管理情報を記憶すると共に、装填処理、及び、回収処理の管理を行うようにしてもよい。この構成の場合、装填処理時には、出納機２は出金情報を、管理コンピュータ７１に送信すると共に、両替機３は装填情報を管理コンピュータ７１に送信する。管理コンピュータ７１は、生成した装填管理情報に基づいて、複数の両替機３からの装填貨幣の情報と、出納機２における一括出金の貨幣情報とを比較することにより、出納機２と、複数の両替機３との間の貨幣の授受を管理することができる。
【０１４１】
また、回収処理時には、両替機３は回収情報を管理コンピュータ７１に送信すると共に、出納機２は入金情報を管理コンピュータ７１に送信する。管理コンピュータ７１は、生成した回収管理情報に基づいて、複数の両替機３からの回収貨幣の情報と、出納機２における一括入金の貨幣情報とを比較することにより、出納機２と、複数の両替機３との間の貨幣の授受を管理することができる。
【０１４２】
管理コンピュータ７１が装填処理及び回収処理の管理を行う場合、例えば図１０に示すように、貨幣処理システム１が、複数の出納機２ａ、２ｂを備えているときも、管理コンピュータ７１は、装填処理及び回収処理の管理を行うことができる。
【０１４３】
尚、ここに開示する技術は、両替機３以外にも、様々な貨幣処理装置に対する装填処理や回収処理においても適用することができる。例えば、複数のオートキャッシャーに対する装填処理や回収処理において、ここに開示する技術を適用してもよい。また、複数のＡＴＭ（Automatic Teller Machine）に対する装填処理や回収処理において、ここに開示する技術を適用してもよい。さらに、複数のロビー入出金機に対する装填処理や回収処理において、ここに開示する技術を適用してもよい。
【０１４４】
さらに、ここに開示する貨幣処理システムは、金融機関に構築されるシステムに限定されない。例えばデパートや、スーパーマーケット等の流通市場において構築されるシステムに、ここに開示する技術を適用してもよい。具体的には、例えばスーパーマーケットのバックオフィスに設置されている入出金機と、スーパーマーケットの店舗に設置されている、複数の釣銭機との間での（釣銭準備金の）装填処理や（売上金の）回収処理において、前記と同様に、一括出金や、一括入金を行うことができる。
【符号の説明】
【０１４５】
１  貨幣処理システム
２  出納機（第１貨幣処理装置）
２ａ  出納機（第１貨幣処理装置）
２ｂ  出納機（第１貨幣処理装置）
２３  装填管理部（管理部）
２４  回収管理部（管理部）
３  両替機（第２貨幣処理装置）
３１  第１両替機（第２貨幣処理装置）
３２  第２両替機（第２貨幣処理装置）
３３  第３両替機（第２貨幣処理装置）
７１  管理コンピュータ（管理部）
【図１】
2019200662.tif 000003
【図２】
2019200662.tif 000004
【図３】
2019200662.tif 000005
【図４】
2019200662.tif 000006
【図５】
2019200662.tif 000007
【図６】
2019200662.tif 000008
【図７】
2019200662.tif 000009
【図８】
2019200662.tif 000010
【図９】
2019200662.tif 000011
【図１０】
2019200662.tif 000012